(57)【要約】【課題】必要に応じてケーブル挿通穴を意匠性が損なわれないように閉塞する閉塞カバーを備えたケーブル挿通穴閉塞装置を提供する。【解決手段】直角に折曲され、ケーブル挿通穴４が連続形成された少なくとも第一面２と第二面３ａとを備えたフレーム１と、同フレーム１の第一面２と第二面３ａとに対応して前記ケーブル挿通穴４を閉塞する一面６と他面７とを備えるとともに、同他面７から段部を介して延出された延出面９を備え、同延出面９にねじ孔８を備えた閉塞カバー５と、前記フレーム１の第二面３ａに設けられ、前記延出面９のねじ孔８に螺入されるねじ１０を介して前記閉塞カバー５をガイドするガイド溝１１とからなり、前記閉塞カバー５は、前記ねじ１０が前記ガイド溝１１でガイドされ、前記延出面９を前記第二面３ａに当接して前記ねじ１０が締められることにより、前記ケーブル挿通穴４を前記フレーム１の第一面２と面一状に閉塞する。【選択図】図２
2012109383.tif 000002
【特許請求の範囲】
【請求項１】
直角に折曲され、ケーブル挿通穴が連続形成された少なくとも第一面と第二面とを備えたフレームと、同フレームの第一面と第二面とに対応して前記ケーブル挿通穴を閉塞する一面と他面とを備えるとともに、同他面から段部を介して延出された延出面を備え、同延出面にねじ孔を備えた閉塞カバーと、前記フレームの第二面に設けられ、前記延出面のねじ孔に螺入されるねじを介して前記閉塞カバーをガイドするガイド溝とからなり、
前記閉塞カバーは、前記ねじが前記ガイド溝でガイドされ、前記延出面を前記第二面に当接して前記ねじが締められることにより、前記ケーブル挿通穴を前記フレームの第一面と面一状に閉塞してなることを特徴とするケーブル挿通穴閉塞装置。
【請求項２】
前記閉塞カバーの延出面は、前記第一面に対向する側端に段部を有して前記一面から延出され、前記ガイド溝には、同ガイド溝に直交する補助ガイド溝が連続形成され、
前記閉塞カバーは、前記ねじが前記ガイド溝および前記補助ガイド溝でガイドされ、前記延出面を前記第二面に当接し前記延出面の側端を前記フレームに当接して前記ねじが締められることにより、前記ケーブル挿通穴を前記フレームの第一面および第二面と面一状に閉塞してなることを特徴とする請求項１に記載のケーブル挿通穴閉塞装置。
【請求項３】
前記延出面は、前記閉塞カバーの他面の厚さと同等の高さに突出する突出部を備える一方、前記フレームの第二面は、前記ケーブル挿通穴の閉塞時に前記突出部を係合する係合孔を備えてなることを特徴とする請求項１または請求項２に記載のケーブル挿通穴閉塞装置。
【発明の詳細な説明】
【技術分野】
【０００１】
本発明は、ケーブル挿通穴閉塞装置に関わり、より詳細には、必要に応じてケーブル挿通穴を閉塞できる閉塞カバーを備えた構造に関するものである。
【背景技術】
【０００２】
従来のケーブル挿通穴閉塞装置として、図６（ａ）に示すケーブル挿通穴の全開時の開口部Ａ、または、図６（ｂ）に示す半開時の開口部Ｂのように、筐体パネル１００に設けられたケーブル挿通穴１０１は、スライドブラケット１０２をスライドさせることにより、ケーブル挿通穴１０１の開口面積を連続的に容易に変化調節できるように構成したものが知られている（例えば、特許文献１参照）。
【０００３】
すなわち、筐体パネル１００は単数または複数のケーブルが通る任意の大きさの形状の長孔からなるケーブル挿通穴１０１を有し、ゴムパッキン１０３は筐体パネル１００と実質的に同形同寸法の長孔を有して水や埃の侵入を防ぎ、スライドブラケット１０２はゴムパッキン１０３を押え筐体パネル１００と実質的に同形同寸法の長孔を有して任意に自在にスライド溝１０４によりスライドでき、結合固定部１０５はスライドブラケット１０２とゴムパッキン１０３とを筐体パネル１００に結合させている。
【０００４】
これにより、ケーブルを通す開口面積を連続的に容易に変化調節できるので、ケーブルの本数の増減やケーブルの径の変更に伴うケーブル挿通穴１０１の大きさに変更が生じても、新たな加工や部品の追加を必要とせず、容易に水や埃の侵入を防げるようになっていた。
【０００５】
しかしながら、上述したケーブル挿通穴閉塞装置は、スライドブラケット１０２が筐体パネル１００に重設された構成であって、スライドブラケット１０２とともにスライド溝１０４や結合固定部１０５などが露出しているため外観性が良好でないという問題点があった。
【０００６】
また、例えば、ケーブルを挿通しない場合においては、筐体パネル１００とスライドブラケット１０２とが面一状でないため、ケーブル挿通穴１０１を意匠性が損なわれないようにスライドブラケット１０２で閉塞することができないという問題点を有していた。
【先行技術文献】
【特許文献】
【０００７】
【特許文献１】特開平８−１４８８４８号公報
【発明の概要】
【発明が解決しようとする課題】
【０００８】
本発明は、上記問題点に鑑み、必要に応じてケーブル挿通穴を意匠性が損なわれないように閉塞できる閉塞カバーを備えたケーブル挿通穴閉塞装置を提供することを目的とする。
【課題を解決するための手段】
【０００９】
上述した目的を達成できるように構成するため、本発明は以下に示す特徴を備えている。
【００１０】
直角に折曲され、ケーブル挿通穴が連続形成された少なくとも第一面と第二面とを備えたフレームと、同フレームの第一面と第二面とに対応して前記ケーブル挿通穴を閉塞する一面と他面とを備えるとともに、同他面から後退させる段部を介して延出されたねじ孔を有する延出面を備えた閉塞カバーと、前記フレームの第二面に設けられ、前記延出面のねじ孔に螺入されるねじを通して前記閉塞カバーをケーブル挿通穴の幅方向にガイドするガイド溝とからなり、
前記閉塞カバーは、前記ねじが前記ガイド溝でガイドされ、前記延出面を前記第二面に当接して前記ねじが締められることにより、前記ケーブル挿通穴を前記フレームの第一面と面一状に閉塞してなることを特徴としている。
【００１１】
また、前記閉塞カバーの延出面は、前記一面から側端部を後退させる段部を有して延出され、前記ガイド溝は、その端部に補助ガイド溝が直交して前記フレームの折曲部の側に延びるように連続形成され、
前記閉塞カバーは、前記ねじが前記ガイド溝および前記補助ガイド溝でガイドされ、前記延出面を前記第二面に当接し前記延出面の側端部を前記フレームに当接して前記ねじが締められることにより、前記ケーブル挿通穴を前記フレームの第一面および第二面と面一状に閉塞してなることを特徴としている。
【００１２】
また、前記延出面は、前記閉塞カバーの他面の厚さと同等の高さに突出する突出部を備える一方、前記フレームの第二面は、前記ケーブル挿通穴の閉塞時に前記突出部を係合する係合孔を備えてなることを特徴としている。
【発明の効果】
【００１３】
本発明によれば、必要に応じてケーブル挿通穴を閉塞した際、意匠性が損なわれないようにフレームと閉塞カバーとを面一にする閉塞カバーを備えたケーブル挿通穴閉塞装置を提供できる。
【図面の簡単な説明】
【００１４】
【図１】本発明によるケーブル挿通穴閉塞装置を備えた無線指令台の筐体構造を示す説明図で、（Ａ）は正面図であり、（Ｂ）は側面図であり、（Ｃ）は（Ａ）に示すＡ部の拡大図である。
【図２】ケーブル挿通穴を閉塞したケーブル挿通穴閉塞装置の要部説明図で、（Ａ）は平面図であり、（Ｂ）は正面図であり、（Ｃ）は側面図であり、（Ｄ）は背面図である。
【図３】ケーブル挿通穴を開放したケーブル挿通穴閉塞装置の要部説明図で、（Ａ）は平面図であり、（Ｂ）は正面図であり、（Ｃ）は側面図であり、（Ｄ）は背面図である。
【図４】ケーブル挿通穴を備えたフレームの要部説明図で、（Ａ）は平面図であり、（Ｂ）は正面図であり、（Ｃ）は側面図である。
【図５】ケーブル挿通穴を閉塞する閉塞カバーの要部説明図で、（Ａ）は平面図であり、（Ｂ）は正面図であり、（Ｃ）は側面図であり、（Ｄ）は背面図である。
【図６】従来例によるケーブル挿通穴閉塞装置の説明図で、（ａ）は全開時の開口部を示す図で、（ｂ）は半開時の開口部を示す図である。
【発明を実施するための形態】
【００１５】
以下、本発明の実施の形態を、添付図面に基づいた実施例として詳細に説明する。
【００１６】
本発明によるケーブル挿通穴閉塞装置は、例えば図１（Ａ）および図１（Ｂ）に示す無線指令台ａに用いられる。このような無線指令台ａは、図１（Ａ）乃至図１（Ｃ）に示すように、卓を支持する複数の垂直状のフレーム１ａと、複数の垂直状のフレーム１ａ同士の下端を前後および左右方向に接続する複数の水平状のフレーム１と、複数の垂直状のフレーム１ａ同士の間に設けられて前面をカバーする前面カバーｂおよび側面をカバーする側面カバーｃと、卓上に配置された操作部ｄおよび液晶ディスプレイｅ等と、からなる構成になっている。
【００１７】
本発明によるケーブル挿通穴閉塞装置は無線指令台ａの筐体構造の一部として構成されており、例えば、無線指令台ａに図１（Ｂ）に示すようなフットスイッチｆが設けられる場合は、筐体構造の前面下端部を構成する水平状のフレーム１に設けられたケーブル挿通穴４からフットスイッチｆに接続されるケーブル（図示せず）が引き出され、また、図１（Ａ）および図１（Ｃ）に示すようにフットスイッチｆが用いられない場合は、ケーブル挿通穴４が閉塞カバー５で閉塞されるように構成している。
【００１８】
これにより、ケーブル挿通穴閉塞装置が用いられる無線指令台ａは、フットスイッチｆに接続されるケーブルが引き出されるか否かに対応して、フットスイッチｆが設けられない場合にはケーブル挿通穴４を閉塞できるので、筐体構造の前面下端部を構成する水平状のフレーム１としてケーブル挿通穴４が形成されたものと、ケーブル挿通穴４が形成されていないものとを個別に作成する必要がなく、したがって、ケーブル挿通穴４が形成されたものと、ケーブル挿通穴４が形成されていないものとを組み換えるといったコスト高の要因になる無駄がないようにしている。
【００１９】
また、本発明によるケーブル挿通穴閉塞装置は、無線指令台ａの筐体構造の一部に用いられる構成に限定されることなく、図示はしないが、例えば卓の後端部から卓内にケーブルを引き込む構成においても適用できる。その場合は、ケーブル挿通穴閉塞装置を構成している後述するねじ１０が卓上に突出しないように、図２（Ｃ）に示す矢印Ａのように、水平状のフレーム１および閉塞カバーを９０°転回させた構成にすればよい。
【００２０】
本実施例においては、図１乃至図５に基づいて、無線指令台ａの筐体構造の一部に用いられるケーブル挿通穴閉塞装置の構成について説明することとし、先ず、ケーブル挿通穴閉塞装置を構成しているケーブル挿通穴４を備えた水平状のフレーム１および閉塞カバー５の構成について、以下に詳細に説明する。
【００２１】
図２（Ｂ）に示すように、ケーブル挿通穴４が形成されている水平状のフレーム１は、前面部である第一面２と、上下面部である第二面３ａおよび第三面３ｂとを備えて図２（Ｃ）のように断面コ字状に形成され、且つ水平状に延びるように形成されて無線指令台ａの筐体構造の前面下端部を構成している。
【００２２】
なお、筐体構造の前面下端部を構成している水平状のフレーム１は、直角に折り曲げられ、前面部である第一面２と、上面部である第二面３ａとを備えて断面Ｌ字状に形成された構造であってもよいが、本実施例においては、上述したように第一面２、第二面３ａおよび第三面３ｂにより断面コ字状に形成されることで、床面に対する設置面積を大きくして筐体の座りを良好にできるとともに、筐体構造の前面下端部に強度をもたせた構造でなるものとして説明する。
【００２３】
ケーブル挿通穴４は、図３（Ａ）乃至図３（Ｄ）と、図４（Ａ）乃至図４（Ｃ）とに示すように、水平状のフレーム１の第一面２の下端縁近傍から第二面３ａの後端縁にかけて所定幅によるＬ字面状に切欠されることで、フットスイッチｆに接続されるケーブルを挿通させて筐体構造の内部から引き出せるようにしている。
【００２４】
なお、ケーブル挿通穴４は、第一面２の下端縁近傍から第二面３ａの後端縁にかけて所定幅でＬ字面状に切欠された構成に限ることなく、図示はしないが、第一面２の下端縁近傍から第二面３ａの後端縁近傍にかけて切欠するように構成してもよい。その場合、図５（Ａ）に示す閉塞カバー５の他面７および延出面９の外形寸法をケーブル挿通穴４の大きさに対応して形成すればよく、これにより、ケーブル挿通穴４を設けたことによる水平状のフレーム１の強度の低下を防ぐことができるようになる。
【００２５】
ケーブル挿通穴４を備えた水平状のフレーム１は板金からなり、ケーブル挿通穴４の側部の第二面３ａには水平状のフレーム１の長手方向に延びるガイド溝１１を形成し、ケーブル挿通穴４近傍の側となるガイド溝１１の端部には、ガイド溝１１に直交して水平状のフレーム１の折曲部の側に延びる補助ガイド溝１１ａを連続形成しており、後述するねじ１０の外形部をガイドするガイド溝１１の幅寸法をｉとし、補助ガイド溝１１ａの幅寸法をｊとした時、ガイド溝１１の幅寸法ｉと、補助ガイド溝１１ａの幅寸法ｊとを等しくしている。
【００２６】
また、ケーブル挿通穴４の幅寸法をｇとし、ガイド溝１１の長さ寸法をｈとした時、ケーブル挿通穴４の幅寸法ｇと、ガイド溝１１の長さ寸法ｈとを等しくしており、第一面２の厚さ寸法をｋとし、補助ガイド溝１１ａの長さ寸法をｌとした時、第一面２の厚さ寸法ｋと、補助ガイド溝１１ａの長さ寸法ｌとを等しくしている。
【００２７】
また、水平状のフレーム１の第二面３ａは、ガイド溝１１を介し補助ガイド溝１１ａの反対側となる位置に、後述する突出部１３が係脱可能に係合する係合孔１４を備えている。
【００２８】
図４（Ａ）および図４（Ｂ）に示すケーブル挿通穴４は、図５（Ａ）乃至図５（Ｄ）に示す閉塞カバー５によって閉塞される。閉塞カバー５は板金からなり、ケーブル挿通穴４に対応する前面である一面６および上面である他面７と、この他面７の側部から、段部１２を有して延出された延出面９とを備えており、図４（Ｂ）および図４（Ｃ）に示す第二面３ａの厚さ寸法をｍとし、図５（Ｂ）乃至図５（Ｄ）に示す他面７と延出面９との段差寸法をｎとした時、第二面３ａの厚さ寸法ｍと、他面７と延出面９との段差寸法ｎとを等しくしている。
【００２９】
延出面９は、図５（Ａ）に示す側端９ａが一面６に対する段部１２を有して延出されており、図４（Ａ）に示す第一面２の厚さ寸法をｋとし、図５（Ａ）に示す一面６と側端９ａとの段差寸法をｏとした時、第一面２の厚さ寸法ｋと、一面６と側端９ａとの段差寸法ｏとを等しくしている。また、延出面９は、ガイド溝１１を通したねじ１０を螺入するためのねじ孔８を有するとともに、水平状のフレーム１の第二面３ａに備えた係合孔１４に対応する突出部１３を有している。
【００３０】
ねじ孔８は、延出面９の裏面側に突出成形されることによってねじ山を多くしてねじ強度を増強させており、突出部１３は、ハーフピアス加工されることによって延出面９の表面側に突出成形した構成になっている。
【００３１】
次に、図２（Ａ）乃至図２（Ｄ）と、図３（Ａ）乃至図３（Ｄ）とに基づいて、上述した構成でなるケーブル挿通穴閉塞装置の動作について、以下に説明する。
【００３２】
閉塞カバー５の他面７を水平状のフレーム１の第二面３ａに対向させてその下面側から近接または当接させ、ガイド溝１１を上方から通したねじ１０を延出面９に備えたねじ孔８に螺入し、ねじ孔８を貫通したねじ１０の先端部に六角袋ナット１５を螺合して、ねじ１０が緩められてもねじ孔８から離脱しないようにしておく。
【００３３】
そして、ケーブル挿通穴４を閉塞カバー５で閉塞する際、ねじ孔８に螺入されたねじ１０がガイド溝１１でガイドされ、且つ補助ガイド溝１１ａでガイドされることによって、閉塞カバー５を図２（Ａ）乃至図２（Ｄ）に示す位置にスライドさせる。
【００３４】
ケーブル挿通穴４を閉塞する位置にスライドさせた閉塞カバー５は、図２（Ａ）および図２（Ｃ）に示すように、ハーフピアス加工された突出部１３を水平状のフレーム１の第二面３ａに備えた係合孔１４に係合して、ねじ孔８に螺入されたねじ１０を締めることにより位置決めされて固定される。
【００３５】
その際、閉塞カバー５は、ねじ１０をガイド溝１１でガイドすることで、図５（Ａ）乃至図５（Ｄ）に示す段部１２が、図４（Ａ）および図４（Ｂ）に示すケーブル挿通穴４の第二面３ａの一側縁４ａに位置合わせされ、突出部１３が係合孔１４に係合するのと同時に、他面７を第二面３ａの厚さ寸法ｍだけ上方に移動させて第二面３ａと面一状にした状態でケーブル挿通穴４を閉塞する。
【００３６】
また、閉塞カバー５は、ねじ１０が補助ガイド溝１１ａでガイドされることで、図５（Ａ）乃至図５（Ｄ）に示す一面６の一側６ａを第一面２の一側縁４ｂに沿わせるように、一面６を図４（Ａ）に示す第一面２の厚さ寸法ｋだけ前方に移動させて第一面２と面一状にした状態でケーブル挿通穴４を閉塞する。
【００３７】
これにより、水平状のフレーム１の第一面２と閉塞カバー５の一面６とを面一状にするとともに、水平状のフレーム１の第二面３ａと閉塞カバー５の他面７とを面一状にした状態でケーブル挿通穴４を閉塞できるので、筐体としての意匠性を損ねることがない構造となる。
【００３８】
その際、複数の垂直状のフレーム１ａ同士の間は、図１（Ａ）および図１（Ｂ）に示すように前面カバーｂおよび側面カバーｃによってカバーされているので、ねじ１０が視認できないためスッキリした外観を呈しており、意匠性が損なわれてしまう虞はない。なお、図１（Ｃ）に示すねじ１０は、ケーブル挿通穴４を閉塞した閉塞カバー５がねじ１０で固定されている構造を示すために、前面カバーｂを省いた状態で図示している。
【００３９】
また、図１（Ｂ）に示すようにフットスイッチｆが設けられることで、このフットスイッチｆに接続されるケーブルを挿通するためのケーブル挿通穴４を開放する際、ねじ１０を緩めて係合孔１４から突出部１３を離脱させるとともに、ねじ孔８に螺入されたねじ１０が補助ガイド溝１１ａおよびガイド溝１１でガイドされることによって、閉塞カバー５を図３（Ａ）乃至図３（Ｄ）に示す位置にスライドさせる。
【００４０】
ケーブル挿通穴４を開放する位置にスライドさせた閉塞カバー５は、図３（Ａ）および図３（Ｃ）に示すように、ねじ孔８に螺入されたのち緩められたねじ１０が、ハーフピアス加工された突出部１３の先端を水平状のフレーム１の第二面３ａの裏面に当接するように締められることで水平状に固定される。
【００４１】
ケーブル挿通穴４は、水平状のフレーム１から閉塞カバー５を取り外すことで開放できるが、この場合、水平状のフレーム１から取り外した閉塞カバー５は遺失してしまう虞がある。そのため、閉塞カバー５は、水平状のフレーム１に固定されることによって遺失してしまう虞がなくなる。
【００４２】
これによって、ケーブル挿通穴４を備えた水平状のフレーム１に対し必要に応じてケーブル挿通穴４を閉塞カバー５で閉塞できるようになり、とくにケーブル挿通穴４を閉塞した際、水平状のフレーム１と閉塞カバー５とが面一状となる構造にすることで、意匠性を損なうことがないようにしたケーブル挿通穴閉塞装置となる。
【００４３】
１  水平状のフレーム
１ａ  垂直状のフレーム
２  第一面（前面部）
３ａ  第二面（上面部）
３ｂ  第三面（下面部）
４  ケーブル挿通穴
４ａ，４ｂ  一側縁
５  閉塞カバー
６  一面（前面）
６ａ  一側
７  他面（上面）
８  ねじ孔
９  延出面
９ａ  側端
１０  ねじ
１１  ガイド溝
１１ａ  補助ガイド溝
１２  段部
１３  突出部
１４  係合孔
１５  六角袋ナット
【図１】
2012109383.tif 000003
【図２】
2012109383.tif 000004
【図３】
2012109383.tif 000005
【図４】
2012109383.tif 000006
【図５】
2012109383.tif 000007
【図６】
2012109383.tif 000008